(57)【特許請求の範囲】
【請求項１】
感度が調節できる地震センサーであって、台座を有し、前記台座には、本体（シーソー）と、第１導体部と、脱落防止用支柱とが設けられ、前記本体（シーソー）は、一端の上部には受け皿を有し、他端には錘および第２導体部を有し、前記受け皿には、前記脱落防止用支柱から適度な長さの紐状物で拘束された、内部に複数個の錘を有する円筒形の容器が設置され、地震発生時には前記円筒形の容器が前記本体（シーソー）から離脱し、前記本体（シーソー）は前記錘の重さおよび自重により他方に傾き、前記第１導体部および前記第２導体部が接触することで、地震発生と同時に通電させる地震センサーにおいて、前記円筒形の容器は、内部の複数個の錘の位置を上下方向に移動させて、円筒形の容器全体の重心の位置を変化させる事により、作動する感度を容易に調節できる事を特徴とする地震センサー。
【請求項２】
請求項１に記載の地震センサーにおいて、前記受け皿の周囲を高くした事を特徴とする地震センサー。
【請求項３】
請求項１に記載の地震センサーにおいて用いられる円筒形の容器をシミュレーションする装置であって、台座にバネ（スプリング）を取り付け、前記バネ（スプリング）の上部に受け皿を備え、前記受け皿に円筒形の容器を設置し、前記バネ（スプリング）を手動で、上下、左右、前後方向の３次元的に振動させる事により、地震発生時の前記円筒形の容器の状態を、実際にシミュレーションできる事を特徴とする、感度が調節できる地震センサー用シミュレーション装置。
【発明の詳細な説明】
【技術分野】
【０００１】
この発明は、地震等による振動が発生した時に、その振動を検出して、照明灯、ラジオ、ブザー等の接続機器を自動的に作動させる事が可能な地震センサーであり、特に、感度を容易に調節できる地震センサーに関するものである。
【背景技術】
【０００２】
夜間、就寝時等に大規模な地震が発生した時は、先ず以て、周囲を明るくし、ラジオ等で情報を得る事が必要である。そのため、多くの家庭および施設では、次のような何れかの照明装置等を常備している。（１）一般的な懐中電灯、（２）壁上の特殊なハンガーに取り付けられた照明装置がそのハンガーから離脱した時に点灯する非常灯（例えば、特許文献１参照）、（３）地震による振動を自動的に検出して非常灯等を点灯させる非常用の用品表示装置（特許文献２参照）。
【０００３】
しかしながら、従来の自動照明点灯装置（２）および（３）には、振動検出部の感度を容易に調節する機能は存在しなかった。そのため、地震による振動の振幅が、固定された設定値を超えた時にだけ作動するという欠点があった。更に、一般家庭における防災対策用常備装置として、従来の自動照明点灯装置は設置場所が限定されるという欠点があった。
【特許文献１】実開昭５０−２０５８２号公報
【特許文献２】実開昭４８−２４３７４号公報
【発明の開示】
【発明が解決しようとする課題】
【０００４】
本発明は、以上のような従来の欠点に鑑み、振動検出部の感度を容易に調節できる可搬型の地震センサーを提供する事を目的としている。
【課題を解決するための手段】
【０００５】
上記目的を達成するために、本発明は、本体の上部に設置する円筒形の容器内の錘の位置を上下方向に移動させる構造（ａ）および地震で円筒形の容器が本体から離脱した時にシーソーがバランスを崩し傾き、シーソーの上部と下部に取り付けた導体部が接触し地震発生と同時に自動的に通電させる構造（ｂ）により、振動検出部が作動する感度の強弱を容易に調節できる地震センサーを構成している。
【発明の効果】
【０００６】
以上の説明から明らかなように、本発明にあっては次に列挙する効果が得られる。
（１）本体（シーソー）の上部に設置する円筒形の容器内の錘（例えば、金属製の小型円盤）の位置を上下方向に移動させることで、容易にセンサーの振動検出部が作動する感度の強弱を調節する事ができる。従って、センサーにより作動させる機器の種類に対して、簡単に調節する事ができる。
【０００７】
（２）前記（１）の構造によって、振動検出部の感度を、作動させる機器の種類に対して、使用者の要望に応じて、簡単に調節する事ができる。
【０００８】
（３）前記（１）および請求項２の構造であるので、小型、軽量という利点から、防災対策用常備装置の中に、複数の地震センサーを組み込む事が可能となる。従って、センサーにより作動させる機器の各々に対して、簡単に調節する事ができる。
【０００９】
（４）前記（１）および請求項３の構造であるので、振動検出部の感度の調節も、手動で、上下、左右、前後方向の３次元的に振動させることにより、容易に、地震発生時の円筒形の容器の状態をシュミレーションする事ができる。
【発明を実施するための最良の形態】
【００１０】
以下、本発明の実施の形態を図に基づいて説明する。
【実施例１】
【００１１】
図１は、本発明装置の実施例１の断面図であって、感度調節できる地震センサーの主要な構造を示す。
【００１２】
本体上部に設置する円筒形の容器内の錘の位置を上下方向に移動させる事により、地震の振動により作動する感度の強弱を調節する事ができる構造である。この地震センサーの内部構造を外部から容易に観察する事ができ、更に、その機能を誰でも簡単に試行する事ができるので、利用者の日常生活に安心感を与える事ができる。
【００１３】
振動の振幅が設定値を超えた時に、その振動を検出して自動的に照明機器等を作動させる事ができ、しかも停電時でも何ら支障なく利用する事ができる。地震センサーの待機時には電源（電気、電池）を必要としないので、センサーで作動させる機器の電池の有効期限までは、補修および部品交換は不要である。ただし、安全のため、定期的な動作チェックは実施する方が望ましい。
【実施例２】
【００１４】
図２は、本発明装置の実施例２の断面図であって、地震センサーの振動検出部の主要な構造を示す。
【００１５】
地震センサーの振動検出部の円筒形の容器内には、錘として複数の金属製の円盤がある。この金属製の円盤の位置を、下部から上部に移動させると作動の感度が増す。１枚を移動させると感度は約４倍になるので、２枚の場合は約１６倍、３枚の場合は約６４倍、４枚の場合は約２５６倍、５枚の場合は約１０２４倍という事になる。金属製の円盤の位置を上下方向に移動させても、円筒形の容器全体の重量は不変であるにも係わらず、振動検出部における金属製の円盤の位置により全く異なったセンサーのように感じられる。
【実施例３】
【００１６】
図３は、本発明装置の実施例３の断面図であって、地震センサーの感度調節装置の主要な構造を示す。
【００１７】
振動検出部の感度の調節は、手動で、上下、左右、前後方向の３次元的に振動させる事により、容易に地震発生時の円筒形の容器の状態等をシュミレーションする事ができる。振動検出部は、前後左右方向の横揺れ、上下方向の縦揺れ、あるいはそれらの混合型の何れにも反応する。しかも、その振動の検出の感度は、この地震センサーの感度調節装置で容易に、調節および確認する事が可能である。
【産業上の利用可能性】
【００１８】
本発明（感度が調節できる地震センサー）は、一般家庭および公共施設等における地震対策用機器の作動センサーとして利用される。主な地震対策用機器としては、ラジオ、テレビ、照明機器、非常誘導機器、警報機器等である。
【図面の簡単な説明】
【００１９】
【図１】感度が調節できる地震センサーの断面図である。
【図２】地震センサーの振動検出部の断面図である。
【図３】地震センサーの感度調節装置の断面図である。
【符号の説明】
【００２０】
１  円筒形の容器（例えば、フィルムケース）
２  錘（例えば、金属製の小型円盤）
３  スポンジ
４  受け皿
５  ボルト
６  脱落防止用支柱
７  糸
８  台座
９  シーソー型プレート
１０  シーソーの支柱
１１  金属製の錘
１２  銅製の網（上部：シーソー）
１３  銅製の網（下部：台座）
１４  リード線（上部：シーソー）
１５  リード線（下部：台座）
１６  支点
１７  力点
１８  作用点
１９  スプリング
【要約】
【課題】  本発明は、地震等による振動が発生した時に、その振動を検出して、照明灯、ラジオ、ブザー等の接続機器を自動的に作動させる事が可能な地震センサーであり、特に、感度を容易に調節できる地震センサーを得ることにある。
【解決手段】  本体の上部に設置する円筒形の容器内の錘の位置を上下方向に移動させる構造（ａ）および地震で円筒形の容器が本体から離脱した時にシーソーがバランスを崩し他方に傾き、シーソーの上部と下部に取り付けた導体部が接触し地震発生と同時に自動的に通電させる構造（ｂ）により、作動する感度の強弱を容易に調節できる地震センサーを構成している。
【選択図】  図１【図１】
0004220564.tif 000002
【図２】
0004220564.tif 000003
【図３】
0004220564.tif 000004